(57)【要約】      （修正有）【課題】埋め込み式スイッチ電子時計表示装置を提供する。【解決手段】埋め込み式スイッチ電子時計表示装置はモニター１１と電子時計モジュールを備える電子時計１０、埋め込み式スイッチ３０或いは電源コンセントを備えるスイッチ固定台２０及び外枠２１を備え、電子時計１０はスイッチ固定台２０の第一収容設置貫通口２０１内に設置され、外枠２１の第一貫通口２１１に対応し、埋め込み式スイッチ３０はスイッチ固定台２０の第一収容設置貫通口２０１或いは第二収容設置貫通口２０２内に設置され、第一貫通口２１１或いは第二貫通口２１２に対応し、埋め込み式スイッチ３０及び電子時計１０を設置するスイッチ固定台２０は電子時計１０及び埋め込み式スイッチ３０を壁面７０の壁上電源空間６０内に固定して設置、これにより電子時計１０と埋め込み式スイッチ３０とは電源空間内６０の市内電源に電気的に連接し、市内電源は適した電源を電子時計１０に出力する。【選択図】図１
0003208396.tif 000002
【実用新案登録請求の範囲】
【請求項１】
埋め込み式スイッチ電子時計表示装置は、少なくとも１個の埋め込み式スイッチ或いは／及び少なくとも１個の電源コンセント、収容設置貫通口を貫通状に設置するスイッチ固定台、及び貫通口を貫通状に設置する外枠を備え、
該少なくとも１個の埋め込み式スイッチ或いは／及び少なくとも１個の電源コンセントは、該スイッチ固定台の収容設置貫通口内に設置され、該スイッチ固定台前端面の外枠の貫通口に対応して嵌めて設置され、
該埋め込み式スイッチ電子時計表示装置は、モニターと電子時計モジュールを備える電子時計をさらに備え、
該電子時計は、該スイッチ固定台の収容設置貫通口内に対応して設置され、該外枠の貫通口に対応し、
該電子時計、及び埋め込み式スイッチ或いは／及び電源コンセントを設置するスイッチ固定台は対応し、該電子時計と埋め込み式スイッチ或いは／及び電源コンセントを、壁面の壁上電源空間内に固定して設置し、
これにより、該電子時計と埋め込み式スイッチ或いは／及び電源コンセントとは、壁面の電源空間内の市内電源に電気的に連接し、しかも該市内電源は、適した電源を、該電子時計に出力し、
該電子時計のモニターは、電子時計モジュールに電気的に連接し、該電子時計モジュールが生じ、並びに伝送する電子時計信号を受け取り、該モニターにより日付及び時間を表示することを特徴とする埋め込み式スイッチ電子時計表示装置。
【請求項２】
埋め込み式スイッチ電子時計表示装置は、少なくとも１個の埋め込み式スイッチ或いは／及び少なくとも１個の電源コンセント、第一収容設置貫通口と第二収容設置貫通口とを貫通状に設置するスイッチ固定台、及び第一貫通口と第二貫通口とを貫通状に設置する外枠を備え、
該少なくとも１個の埋め込み式スイッチ或いは／及び少なくとも１個の電源コンセントは、該スイッチ固定台の第二収容設置貫通口内に設置され、該スイッチ固定台前端面の外枠の第二貫通口に対応して嵌めて設置され、
該埋め込み式スイッチ電子時計表示装置は、モニターと電子時計モジュールを備える電子時計をさらに備え、
該電子時計は、該スイッチ固定台の第一収容設置貫通口内に対応して設置され、該外枠の第一貫通口に対応し、
該電子時計、及び埋め込み式スイッチ或いは／及び電源コンセントを設置するスイッチ固定台は、対応し、該電子時計と埋め込み式スイッチ或いは／及び電源コンセントを、壁面の壁上電源空間内に固定して設置し、
これにより、該電子時計と埋め込み式スイッチ或いは／及び電源コンセントとは、壁面の電源空間内の市内電源に電気的に連接し、しかも該市内電源は、適した電源を、該電子時計に出力し、
該電子時計のモニターは、電子時計モジュールに電気的に連接し、該電子時計モジュールが生じ、並びに伝送する電子時計信号を受け取り、該モニターにより日付及び時間を表示することを特徴とする埋め込み式スイッチ電子時計表示装置。
【請求項３】
埋め込み式スイッチ電子時計表示装置は、少なくとも１個の埋め込み式スイッチ或いは／及び少なくとも１個の電源コンセント、複数の収容設置貫通口を貫通状に設置するスイッチ固定台、及び複数の貫通口を貫通状に設置する外枠を備え、
該少なくとも１個の埋め込み式スイッチ或いは／及び少なくとも１個の電源コンセントは、該スイッチ固定台の収容設置貫通口内に設置され、該スイッチ固定台前端面の外枠の貫通口に対応して嵌めて設置され、
該埋め込み式スイッチ電子時計表示装置は、モニターと電子時計モジュールを備える電子時計をさらに備え、
該電子時計は、該スイッチ固定台のもう一つの収容設置貫通口内に対応して設置され、該外枠のもう一つの貫通口に対応し、
該電子時計、及び埋め込み式スイッチ或いは／及び電源コンセントを設置するスイッチ固定台は、対応し、該電子時計と埋め込み式スイッチ或いは／及び電源コンセントを、壁面の壁上電源空間内に固定して設置し、
これにより、該電子時計と埋め込み式スイッチ或いは／及び電源コンセントとは、壁面の電源空間内の市内電源に電気的に連接し、しかも該市内電源は、適した電源を、該電子時計に出力し、
該電子時計のモニターは、電子時計モジュールに電気的に連接し、該電子時計モジュールが生じ、並びに伝送する電子時計信号を受け取り、該モニターにより日付及び時間を表示することを特徴とする埋め込み式スイッチ電子時計表示装置。
【請求項４】
前記電子時計は、少なくとも１個の調整ボタンをさらに備え、これにより使用者は、該電子時計の電源をオン／オフでき、或いは該電子時計の信号を調整できることを特徴とする請求項１或いは２或いは３の任意の一項に記載の埋め込み式スイッチ電子時計表示装置。
【請求項５】
前記電子時計のモニターは、ＬＥＤ、ＬＣＤ或いはＯＬＥＤであることを特徴とする請求項１或いは２或いは３の任意の一項に記載の埋め込み式スイッチ電子時計表示装置。
【請求項６】
前記電子時計のモニターが表示する日付と時間の方式は、縦方向表示或いは横方向表示であることを特徴とする請求項１或いは２或いは３の任意の一項に記載の埋め込み式スイッチ電子時計表示装置。
【請求項７】
前記スイッチ固定台は、縦方向或いは横方向に対応し、壁面の壁上電源空間内に固定して設置されることを特徴とする請求項１或いは２或いは３の任意の一項に記載の埋め込み式スイッチ電子時計表示装置。
【請求項８】
前記電子時計のモニター底端は、下方へと延伸し、感知挿入柱を設置し、しかも該電子時計モジュール上端には、相互に対応する感知挿入孔を備え、
該モニターの感知挿入柱は、電子時計モジュール上端に設置される感知挿入孔内に対応して挿入され、これにより該モニターと該電子時計モジュールとは、電気的に連接することを特徴とする請求項１或いは２或いは３の任意の一項に記載の埋め込み式スイッチ電子時計表示装置。
【請求項９】
前記電子時計の電子時計モジュールは、変圧モジュールをさらに備え、
該変圧モジュールは、電圧転換の機能を備え、該変圧モジュールにより、市内電源を、電子時計が必要とする適用電源に転換することを特徴とする請求項１或いは２或いは３の任意の一項に記載の埋め込み式スイッチ電子時計表示装置。
【請求項１０】
前記スイッチ固定台の収容設置貫通口内に設置される電子時計は、該埋め込み式スイッチ或いは電源コンセントの左方、右方、上方或いは下方の位置に設置されることを特徴とする請求項１或いは２或いは３の任意の一項に記載の埋め込み式スイッチ電子時計表示装置。
【考案の詳細な説明】
【技術分野】
【０００１】
本考案は埋め込み式スイッチ電子時計表示装置に関し、特に壁上埋め込み式スイッチのスイッチ固定台の空間構造を利用し、電子時計表示装置を設置する埋め込み式スイッチ電子時計表示装置に関する。
【背景技術】
【０００２】
従来の時計は、それを置くために一定の空間が必要である。
さらにそれは、突出した本体を有するため、ちょっとした不注意でぶつけてしまい、時計が落下、損壊してしまう恐れがあるほか、人の頭部を傷つける可能性さえある。
すなわち、地震の発生時には、従来の壁掛式或いは立式の時計は、生命の安全を脅かす危険物となり得る。
【０００３】
また、従来の時計は、電池により電力を提供する必要があるが、電池が不足すると、時間が不正確になってしまう。
本考案は、従来の時計の上記した欠点に鑑みてなされたものである。
【先行技術文献】
【特許文献】
【０００４】
【特許文献１】特開2009-230852号公報
【考案の概要】
【考案が解決しようとする課題】
【０００５】
本考案が解決しようとする課題は、電子時計はスイッチ固定台の第一収容設置貫通口内に設置され、外枠の第一貫通口に対応し、埋め込み式スイッチ或いは電源コンセントはスイッチ固定台の第二収容設置貫通口内に設置され、外枠の第二貫通口に対応し、埋め込み式スイッチ或いは電源コンセントはスイッチ固定台の第一収容設置貫通口内に設置され、外枠の第一貫通口に対応し、これにより電子時計と埋め込み式スイッチ或いは電源コンセントとは一体に結合され、埋め込み式スイッチのオン／オフ機能或いは電源コンセントの電源連接機能を残し、時計は時間や日付を表示でき、設置空間を節減でき、電力は安定し、高い安全性と正確性を備える埋め込み式スイッチ電子時計表示装置を提供することである。
【課題を解決するための手段】
【０００６】
上記課題を解決するため、本考案は下記の埋め込み式スイッチ電子時計表示装置を提供する。
【考案の効果】
【０００７】
本考案の埋め込み式スイッチ電子時計表示装置は、埋め込み式スイッチのオン／オフ機能、或いは電源コンセントの電源連接機能を残しながら時計は時間や日付を表示できるため、設置空間を節減でき、電力は安定し、高い安全性と正確性を備える。
【図面の簡単な説明】
【０００８】
【図１】本考案一実施形態の立体分解模式図である。
【図２】本考案電子時計一実施形態の側視図である。
【図３】本考案一実施形態の分解模式図（一）である。
【図４】本考案一実施形態の分解模式図（二）である。
【図５】本考案一実施形態の正面模式図（一）である。
【図６】本考案一実施形態の正面模式図（二）である。
【図７】本考案一実施形態の正面模式図（三）である。
【図８】本考案一実施形態の正面模式図（四）である。
【図９】本考案一実施形態の正面模式図（五）である。
【図１０】本考案一実施形態の正面模式図（六）である。
【図１１】本考案一実施形態の正面模式図（七）である。
【考案を実施するための形態】
【０００９】
以下に図面を参照しながら本考案を実施するための最良の形態について詳細に説明する。
【００１０】
図１、図２、図３、図４、図５に示すように、本考案埋め込み式スイッチ電子時計表示装置は、モニター１１と電子時計モジュール１２とを備える電子時計１０、埋め込み式スイッチ３０或いは／及び電源コンセント５０を設置するスイッチ固定台２０、外枠２１を備える。
【００１１】
図２に示すように、電子時計１０のモニター１１底端は、下方へと延伸し、感知挿入柱１１１を設置する。
【００１２】
該感知挿入柱１１１は、該電子時計モジュール１２上端の、相互に対応する感知挿入孔１２１内に対応して挿入され、これにより該モニター１１と該電子時計モジュール１２とは、電気的に連接する。
【００１３】
図３に示すように、該スイッチ固定台２０には、第一収容設置貫通口２０１と第二収容設置貫通口２０２とを、貫通状に設置する。
【００１４】
該埋め込み式スイッチ３０或いは電源コンセント５０は、は、該スイッチ固定台２０の第二収容設置貫通口２０２内に設置される。
【００１５】
本考案による電子時計１０の電子時計モジュール１２は、スイッチ固定台２０の第一収容設置貫通口２０１内に対応して嵌めて設置される。
【００１６】
しかも、該モニター１１底端の感知挿入柱１１１もまた、該電子時計モジュール１２上端の感知挿入孔１２１内に対応して挿入され、これにより該電子時計モジュール１２は、該スイッチ固定台２０の第一収容設置貫通口２０１内に設置される（図５参照）。
【００１７】
該埋め込み式スイッチ３０或いは電源コンセント５０と電子時計１０を設置するスイッチ固定台２０は、電子時計１０及び埋め込み式スイッチ３０或いは電源コンセント５０を、壁面７０の壁上電源空間６０内に固定して設置する（図１参照）。
【００１８】
該外枠２１には、第一貫通口２１１と第二貫通口２１２とを貫通状に設置し、該外枠２１を、該スイッチ固定台２０前端面に嵌めて設置すると、該第一貫通口２１１は、ちょうど電子時計１０に対応し、第二貫通口２１２は、埋め込み式スイッチ３０或いは電源コンセント５０に対応する。
【００１９】
これにより、電子時計１０と埋め込み式スイッチ３０或いは電源コンセント５０の四周外縁と壁面７０とは、全体的に美しい外観となる（図５参照）。
【００２０】
本考案による電子時計１０と埋め込み式スイッチ３０或いは電源コンセント５０とは、壁面の電源空間６０内の市内電源に電気的に連接し、該市内電源は、適した電源を、該電子時計１０に出力する。
【００２１】
該電子時計１０の電子時計モジュール１２は、変圧モジュールをさらに備え、該変圧モジュールは、電圧転換の機能を備え、該変圧モジュールにより、市内電源を、電子時計１０が必要とする適用電源に転換する。
【００２２】
例えば、市内電源が１１０ボルトで、電子時計１０が必要とする適用電源が５ボルトである時には、該変圧モジュールには、１１０ボルト交流を５ボルト直流に転換する変圧整流器を変圧モジュールとする。
【００２３】
本考案電子時計１０のモニター１１はＬＥＤ、ＬＣＤ或いはＯＬＥＤで、電子時計モジュール１２が生じ、並びに伝送する電子時計信号を受け取る。
【００２４】
該モニター１１により正確な日付、及び時間を表示し、該モニター１１は、複数の調整ボタン１１２をさらに備え、これにより使用者は電子時計１０の電源をオン／オフし、或いは電子時計１０の日付、時間等信号を調整できる。
【００２５】
本考案電子時計１０は、アラーム、毎時時報或いは他の各種特定機能も備える。
【００２６】
図６、図７、図８、図９、図１０、図１１に示すように、本考案電子時計１０は、スイッチ固定台２０の第二収容設置貫通口２０２内に対応して設置され、外枠２１の第一貫通口２１２に対応する。
【００２７】
埋め込み式スイッチ３０或いは電源コンセント５０は、該スイッチ固定台２０の第一収容設置貫通口２０１内に設置され、外枠２１の第二貫通口２１１に対応する。
【００２８】
しかも、該電子時計１０のモニター１１が表示する日付と時間の方式は、横方向表示である。
【００２９】
本考案はまた図７、図８に示すように、電子時計１０は、該スイッチ固定台２０の第一収容設置貫通口２０１内に対応して設置され、該外枠２１の第一貫通口２１１に対応する。
【００３０】
埋め込み式スイッチ３０は、スイッチ固定台２０の第二収容設置貫通口２０２内に設置され、外枠２１の第二貫通口２１２に対応し、しかも電子時計１０のモニター１１が表示する日付と時間の方式は、縦方向表示である。
【００３１】
該スイッチ固定台２０は、縦方向に対応し、壁面７０の壁上電源空間６０内に固定して設置され、電子時計１０のモニター１１の日付と時間の縦方向表示方式に対応し、これにより電子時計１０は、該スイッチ固定台２０の左面、右面にそれぞれ設置され、しかも該埋め込み式スイッチ３０の左方、右方位置に位置する。
【００３２】
本考案埋め込み式スイッチ３０は、２個の埋め込み式スイッチ３０を備え、１個の電源コンセント５０を対応させ、これにより使用者は電源に連接でき、埋め込み式スイッチ３０と電源コンセント５０の設置数は、相互に対応させ任意に設置できる。
【００３３】
本考案電子時計１０は、図９、図１０、図１１に示すように、１個の第一収容設置貫通口２０１だけを貫通状に設置するスイッチ固定台２０上に設置でき、該電子時計１０は、スイッチ固定台２０の第一収容設置貫通口２０１内に嵌めて設置される。
【００３４】
しかも、該埋め込み式スイッチ３０は、該第一収容設置貫通口２０１内に設置され、電子時計１０と埋め込み式スイッチ３０とは同時に、外枠２１の第一貫通口２１１に対応する。
【００３５】
しかも、埋め込み式スイッチ３０には、電源コンセント５０を設置し、これにより使用者は電源に連接して、電気製品を使用でき、電子時計モジュール１２が生じ、並びに伝送する電子時計信号は、電気製品の使用電力量度数の多寡でもある。
【００３６】
電源コンセント５０の使用電力量がロードを超え、或いは／及び温度が過度に高くなりすぎると、該電子時計モジュール１２は警告音を発する。
【００３７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３９】
１０  電子時計
１１  モニター
１１１  感知挿入柱
１１２  調整ボタン
１２    電子時計モジュール
１２１  感知挿入孔
２０  スイッチ固定台
２０１  第一収容設置貫通口
２０２  第二収容設置貫通口
２１  外枠
２１１  第一貫通口
２１２  第二貫通口
３０  埋め込み式スイッチ
５０  電源コンセント
６０  壁上電源空間
７０  壁面
【図１】
0003208396.tif 000003
【図２】
0003208396.tif 000004
【図３】
0003208396.tif 000005
【図４】
0003208396.tif 000006
【図５】
0003208396.tif 000007
【図６】
0003208396.tif 000008
【図７】
0003208396.tif 000009
【図８】
0003208396.tif 000010
【図９】
0003208396.tif 000011
【図１０】
0003208396.tif 000012
【図１１】
0003208396.tif 000013